(57)【特許請求の範囲】
【請求項１】
トレイに積載されている記録媒体に当接して、その記録媒体を給紙する給紙ローラと、その給紙ローラから給紙される記録媒体にインクを吐出して画像を記録する記録ヘッドとを備え、その記録ヘッドによって前記記録媒体の表面と裏面との両面に画像を記録可能な画像記録装置において、
前記給紙ローラから給紙されて前記記録ヘッドによって表面に画像が記録された記録媒体を、その表面が前記給紙ローラに当接するように前記給紙ローラに向けて搬送する一対の送りローラと、
その一対の送りローラによって搬送される記録媒体の表面のうち、前記給紙ローラと当接することになる当接領域を、前記記録媒体の搬送方向に沿って所定ピッチで区画した各領域毎に前記記録ヘッドから吐出されたインク量を検出する検出手段と、
前記記録媒体の当接領域と前記給紙ローラとが当接している状態で前記記録媒体を所定時間停止させる停止手段と、
その停止手段によって前記記録媒体を停止させる位置を、前記検出手段によって検出される各領域毎に吐出されたインク量に基づいて設定する設定手段とを備えていることを特徴とする画像記録装置。
【請求項２】
前記設定手段は、
前記検出手段によって検出されるインク量が最も少ない当接領域を特定する特定手段を備え、
前記停止手段によって前記記録媒体を停止させる位置を、前記特定手段によって特定される当接領域が前記給紙ローラに当接する位置となるように設定することを特徴とする請求項１に記載の画像記録装置。
【請求項３】
前記所定ピッチは、前記一対の送りローラの最小送りピッチに設定されていることを特徴とする請求項１又は２に記載の画像記録装置。
【請求項４】
前記給紙ローラを一端に回転自在に軸支し、他端側を中心に回動自在に構成されている給紙アームを備えていることを特徴とする請求項１から３のいずれかに記載の画像記録装置。
【請求項５】
前記給紙ローラから給紙される前記記録媒体を前記記録ヘッドに搬送する経路であって湾曲して形成される給紙経路と、
その給紙経路の下流側に配置され、前記給紙ローラから給紙される前記記録媒体を挟持して前記記録ヘッドに搬送する一対の搬送ローラとを備えていることを特徴とする請求項１から４のいずれかに記載の画像記録装置。
【請求項６】
前記一対の送りローラのうち、先に前記記録媒体の表面に当接する一方の送りローラは、他方の送りローラに従動して回転する従動ローラであり、
前記一対の送りローラと、前記記録ヘッドとを結ぶ経路から枝分かれして、前記給紙ローラに向かって延びる裏面用経路と、
前記従動ローラを一端側に回転自在に軸支して上流側に延び、前記他方の送りローラの回転軸を中心に回動可能に構成され、他端側が前記記録媒体に当接して、前記一対の送りローラに挟持されている記録媒体を、上流側に位置している先端部から前記裏面用経路に誘導する経路切換アームとを備えていることを特徴とする請求項１から５のいずれかに記載の画像記録装置。
【発明の詳細な説明】
【技術分野】
【０００１】
本発明は、画像記録装置に関するものである。
【背景技術】
【０００２】
従来より、記録媒体の両面に画像を記録することができるインクジェット方式の画像記録装置が知られている。この種の画像記録装置に関し、次の特許文献１には、まず、１枚目の記録紙１２ａの表面に１ページ目、次に２枚目の記録紙１２ｂの表面に３ページ目、そして、１枚目の記録紙１２ａの裏面に２ページ目の画像を印刷する場合に、表面に１ページ目の画像が印刷された１枚目の記録紙１２ａが２枚目の記録紙１２ｂと干渉しないように、かかる１枚目の記録紙１２ａを両面中継ローラ対３３で挟持した状態で待機させる技術が記載されている。
【特許文献１】特開２００１−２８７８７３号公報（段落第００２０、図５等）
【発明の開示】
【発明が解決しようとする課題】
【０００３】
しかしながら、上述した特許文献１に記載されている技術では、表面に１ページ目の画像が印刷された１枚目の記録紙１２ａを両面中継ローラ対３３で挟持した状態で待機させているので、記録紙１２ａの表面のうち両面中継ローラ対３３と当接する当接部分に印刷されている１ページ目の画像が両面中継ローラ対３３によって乱されたり、記録紙１２ａの表面に吐出されたインクが両面中継ローラ対３３に付着して両面中継ローラ対３３が汚れてしまうという問題点があった。
【０００４】
本発明は上述した問題点を解決するためになされたものであり、画像が記録済である記録媒体の表面に給紙ローラが当接したとしても、その記録済の画像が乱されたり、給紙ローラが汚れるのを抑制することができる画像記録装置を提供することを目的としている。
【課題を解決するための手段】
【０００５】
この目的を達成するために、請求項１記載の画像記録装置は、トレイに積載されている記録媒体に当接して、その記録媒体を給紙する給紙ローラと、その給紙ローラから給紙される記録媒体にインクを吐出して画像を記録する記録ヘッドとを備え、その記録ヘッドによって前記記録媒体の表面と裏面との両面に画像を記録可能なものであって、前記給紙ローラから給紙されて前記記録ヘッドによって表面に画像が記録された記録媒体を、その表面が前記給紙ローラに当接するように前記給紙ローラに向けて搬送する一対の送りローラと、その一対の送りローラによって搬送される記録媒体の表面のうち、前記給紙ローラと当接することになる当接領域を、前記記録媒体の搬送方向に沿って所定ピッチで区画した各領域毎に前記記録ヘッドから吐出されたインク量を検出する検出手段と、前記記録媒体の当接領域と前記給紙ローラとが当接している状態で前記記録媒体を所定時間停止させる停止手段と、その停止手段によって前記記録媒体を停止させる位置を、前記検出手段によって検出される各領域毎に吐出されたインク量に基づいて設定する設定手段とを備えている。
【０００６】
請求項２記載の画像記録装置は、請求項１に記載の画像記録装置において、前記設定手段は、前記検出手段によって検出されるインク量が最も少ない当接領域を特定する特定手段を備え、前記停止手段によって前記記録媒体を停止させる位置を、前記特定手段によって特定される当接領域が前記給紙ローラに当接する位置となるように設定する。
【０００７】
請求項３記載の画像記録装置は、請求項１又は２に記載の画像記録装置において、前記所定ピッチは、前記一対の送りローラの最小送りピッチに設定されている。
【０００８】
請求項４記載の画像記録装置は、請求項１から３のいずれかに記載の画像記録装置において、前記給紙ローラを一端に回転自在に軸支し、他端側を中心に回動自在に構成されている給紙アームを備えている。
【０００９】
請求項５記載の画像記録装置は、請求項１から４のいずれかに記載の画像記録装置において、前記給紙ローラから給紙される前記記録媒体を前記記録ヘッドに搬送する経路であって湾曲して形成される給紙経路と、その給紙経路の下流側に配置され、前記給紙ローラから給紙される前記記録媒体を挟持して前記記録ヘッドに搬送する一対の搬送ローラとを備えている。
【００１０】
請求項６記載の画像記録装置は、請求項１から５のいずれかに記載の画像記録装置において、前記一対の送りローラのうち、先に前記記録媒体の表面に当接する一方の送りローラは、他方の送りローラに従動して回転する従動ローラであり、前記一対の送りローラと、前記記録ヘッドとを結ぶ経路から枝分かれして、前記給紙ローラに向かって延びる裏面用経路と、前記従動ローラを一端側に回転自在に軸支して上流側に延び、前記他方の送りローラの回転軸を中心に回動可能に構成され、他端側が前記記録媒体に当接して、前記一対の送りローラに挟持されている記録媒体を、上流側に位置している先端部から前記裏面用経路に誘導する経路切換アームとを備えている。
【発明の効果】
【００１１】
請求項１記載の画像記録装置によれば、給紙ローラから給紙されて記録ヘッドによって表面に画像が記録された記録媒体は、一対の送りローラによって、その表面が給紙ローラに当接するように給紙ローラに向けて搬送され、表面が給紙ローラと当接している状態で停止手段によって所定時間停止される。一方で、記録媒体の表面に記録ヘッドから吐出されたインク量が、一対の送りローラによって搬送される記録媒体の表面のうち給紙ローラと当接することになる当接領域を記録媒体の搬送方向に沿って所定ピッチで区画した各領域毎に、検出手段によって検出されている。そして、この検出手段によって検出される各領域毎に吐出されたインク量に基づいて、停止手段によって記録媒体を停止させる位置が設定手段によって設定される。
【００１２】
よって、例えば、各領域のうち比較的にインク量が少ない当接域と給紙ローラとが当接している状態で記録媒体を停止するように設定することで、インク量が多い当接領域と給紙ローラとが当接している状態で記録媒体を停止するように設定したり、インク量とは無関係に予め決まった固定位置で記録媒体を停止するように設定したりするよりも、画像が記録されている記録媒体の表面と給紙ローラとが当接することで、記録媒体の表面に記録された画像が乱されたり、表面に吐出されたインクが給紙ローラに付着して給紙ローラが汚れるのを抑制することができるという効果がある。
【００１３】
請求項２記載の画像記録装置によれば、請求項１に記載の画像記録装置の奏する効果に加え、設定手段は、停止手段によって記録媒体を停止させる位置を、検出手段によって検出されるインク量が最も少ない当接領域と給紙ローラとが当接するように設定するので、記録媒体の表面に記録された画像が乱されたり、給紙ローラが汚れるのを最も効果的に抑制することができるという効果がある。
【００１４】
請求項３記載の画像記録装置によれば、請求項１又は２に記載の画像記録装置の奏する効果に加え、所定ピッチは一対の送りローラの最小送りピッチに設定されているので、停止手段によって記録媒体を停止させる位置を適正に設定することができるという効果がある。
【００１５】
請求項４記載の画像記録装置によれば、請求項１から３のいずれかに記載の画像記録装置の奏する効果に加え、給紙ローラを一端に回転自在に軸支し、他端側を中心に回動自在に構成されている給紙アームを備えているので、給紙ローラを固定された給紙アームに軸支する場合よりも、一対の送りローラから搬送される記録媒体に対する給紙ローラのくいつきが良くなり、再給紙性を向上させることができるという効果がある。
【００１６】
請求項５記載の画像記録装置によれば、請求項１から４のいずれかに記載の画像記録装置の奏する効果に加え、給紙ローラから給紙される記録媒体は給紙経路に沿って湾曲した状態で給紙され、その後、一対の搬送ローラに挟持され、一対の搬送ローラによって記録ヘッドに搬送される。よって、停止手段によって所定時間停止される記録媒体の先端側は、湾曲した状態で所定時間停止されることになりカール癖が付けられるので、記録媒体が一対の搬送ローラに挟持される場合にジャムが発生するのを抑制することができるという効果がある。
【００１７】
請求項６記載の画像記録装置によれば、請求項１から５のいずれかに記載の画像記録装置の奏する効果に加え、一対の送りローラのうち、先に記録媒体の表面に当接する一方の送りローラは、他方の送りローラに従動して回転する従動ローラであり、記録媒体の一端側が一対の送りローラに挟持されている状態で、記録媒体を一旦停止させる。そして、従動ローラを一端側に回転自在に軸支して上流側に延びる経路切換アームを、他方の送りローラの回転軸を中心に回動させると、経路切換アームの他端側が停止している記録媒体に当接する。すると、記録媒体は表面の後端から裏面用経路に導入される。よって、簡単に、表面に画像が記録された記録媒体を、その表面が給紙ローラに当接するように給紙ローラに向けて搬送することができるという効果がある。
【発明を実施するための最良の形態】
【００１８】
以下、本発明の好ましい実施形態について、添付図面を参照して説明する。図１は、本発明の一実施形態である複合機１０の外観斜視図である。複合機１０は、記録媒体の一例である記録用紙の両面に画像を記録可能なインクジェット方式のプリンタ部１１を搭載し、画像が記録済である記録用紙の表面にローラが当接したとしても、その記録済の画像が乱されたり、ローラが汚れるのを抑制することができるものである。
【００１９】
複合機１０は、通話機能、ファクシミリ機能、プリンタ機能、スキャナ機能、及び、コピー機能などの各種の機能を有しており、プリンタ機能としては、記録用紙の両面に画像を記録する両面印刷機能を有している。
【００２０】
複合機１０には、主に、下部に設けられるプリンタ部１１と、上部に設けられるスキャナ部１２と、正面上部に設けられる操作パネル４０と、正面に設けられるスロット部４３とが設けられている。
【００２１】
プリンタ部１１は、正面に開口１３が形成されており、この開口１３から一部が露呈するようにして給紙トレイ２０及び排紙トレイ２１が上下２段に設けられている。給紙トレイ２０は、記録用紙を積載するためのものである。この給紙トレイ２０に積載された記録用紙は、プリンタ部１１の内部へ給送され、所望の画像が記録された後に排紙トレイ２１へ排出されるようになっている。
【００２２】
スキャナ部１２は、いわゆるフラットベッドスキャナとして構成されている。原稿カバー３０は、複合機１０の天板として設けられており、その原稿カバー３０の下には、図示しないプラテンガラスが配置されている。原稿は、プラテンガラス上に載置され、原稿カバー３０に覆われた状態でスキャナ部１２に読み取られる。
【００２３】
操作パネル４０は、プリンタ部１１やスキャナ部１２を操作するためのものであって、各種操作ボタンや液晶表示部が設けられている。ユーザは、操作パネル４０を操作することで、各種機能の設定や動作を実行することができる。例えば、記録媒体としての記録用紙の種類（普通紙又は葉書）の設定や、記録用紙の表面のみに画像を記録する片面記録モードの設定、表裏両面に画像を記録する両面記録モードの設定、解像度（ドラフトモード又はフォトモード）の設定を、操作パネル４０を介して指示することができる。
【００２４】
スロット部４３は、記憶媒体である各種小型メモリカードが装填され得るように構成されている。例えば、スロット部４３に小型メモリカードが装填された状態でユーザーが操作パネル４０の操作を行うことにより、小型メモリカードに記憶された画像データを読み出し、その読み出した画像データを記録用紙に記録することができる。
【００２５】
次に、図２を参照して、プリンタ部１１の構成について概略する。図２は、プリンタ部１１の構造を示す縦断面図である。プリンタ部１１には、主に、記録用紙を搬送路２３に給紙する給送部１５と、給送部１５から給紙される記録用紙を搬送する搬送路２３と、搬送路２３を介して搬送される記録用紙にインク滴を吐出することで記録用紙に画像を記録する記録部２４と、記録用紙が排紙される排紙トレイ２１と、排紙トレイ２１と記録部２４との間に配置され、裏面に画像を記録するために記録用紙の経路を切り換える経路切換部４１と、経路切換部４１により経路が切り換えられた記録用紙を、給送部１５、搬送路２３側に案内する反転案内部１６とが設けられている。
【００２６】
給送部１５には、記録用紙を積載する給紙トレイ２０が設けられている。給紙トレイ２０は、プリンタ部１１の底側に配置され、上面が開放された箱状に構成されている。給紙トレイ２０に積載された記録用紙は、給紙ローラ２５によって搬送路２３に給紙される。
【００２７】
そして、記録用紙の片面（表面）に画像を記録する場合には、給紙ローラ２５によって給紙された記録用紙は、搬送路２３に沿って下方から上方へＵターンするように案内されて記録部２４に至り、記録部２４によって表面に画像が記録された後、排紙トレイ２１に排出される。
【００２８】
一方、記録用紙の両面（表裏面）に画像を記録する場合には、表面に画像が記録された記録用紙を、表面が給紙ローラ２５に当接するように、経路切換部４１によって反転案内部１６へ案内し、給紙ローラ２５によって再び搬送路２３に給紙し、記録部２４によって記録媒体の裏面に画像を記録した後、排紙トレイ２１へ排紙される。
【００２９】
次に、図３を参照して、プリンタ部１１の構成について詳細に説明する。図３は、プリンタ部１１の部分拡大断面図である。
【００３０】
給送部１５には、給紙トレイ２０の上側に、給紙ローラ２５が配置されている。給紙ローラ２５は、給紙トレイ２０に積載された記録用紙を搬送路２３へ給紙するものであり、給紙アーム２６の先端に回転自在に軸支されている。給紙ローラ２５は、ＬＦモータ７１（図９参照）を駆動源として動力伝達機構２７を介して回転駆動される。この駆動伝達機構２７は直線状に並ぶ複数のギアで構成されており、これらが噛合されることにより構成されている。
【００３１】
給紙アーム２６は、その基端部が基軸２８に支持されており、基軸２８を回動中心軸として回転可能に構成されている。このため、給紙アーム２６は、給紙トレイ２０に対して接離可能に上下動することができる。また、給紙アーム２６は、自重により又はバネ等に付勢されて下側へ回動付勢されている。このため、給紙アーム２６は、通常において給紙トレイ２０に接触し、給紙トレイ２０が挿抜される際に上側へ退避するように構成されている。
【００３２】
給紙トレイ２０から記録用紙を給紙する場合には、給紙アーム２６が下側へ回動付勢され、給紙ローラ２５が給紙トレイ２０上の記録用紙に圧接された状態で、給紙ローラ２５を回転し、給紙ローラ２５のローラ面と記録用紙との間に発生する摩擦力により、最上位置の記録用紙が分離傾斜板２２へ送り出される。
【００３３】
そして、記録用紙の先端が分離傾斜板２２に当接すると、この記録用紙は上方へ案内され、矢印１４に沿って搬送路２３へ送り込まれる。給紙ローラ２５によって最上位置の記録用紙が送り出される際に、その直下の記録用紙が摩擦や静電気の作用によって共に送り出される場合もあるが、この記録用紙は分離傾斜板２２との当接によって制止される。
【００３４】
搬送路２３は、分離傾斜板２２から上方へ向かった後、正面側へＵ字状に曲がって形成されており、複合機１０の背面側（図３左側）から正面側（図３右側）へと延び、記録部２４を経て排紙トレイ２１へ通じている。
【００３５】
搬送路２３は、記録部２４等が配設されている箇所以外では、外側ガイド面と内側ガイド面とによって区画形成されている。例えば、複合機１０の背面側の搬送路２３の湾曲部１７は、外側ガイド部材１８及び内側ガイド部材１９が本体フレーム５３に固定されることにより形成されている。この場合、外側ガイド部材１８が外側ガイド面を形成し、内側ガイド部材１９が内側ガイド面を形成する。また、外側ガイド部材１８及び内側ガイド部材１９は、所定間隔をあけて対向配置されている。
【００３６】
搬送路２３が曲がっている箇所には、回転コロ２９が設けられている。この回転コロ２９は、回転自在に構成され、回転コロ２９のローラ面は、外側ガイド面に露出されている。よって、搬送路２３が曲がっている箇所においても、記録用紙が円滑に搬送される。
【００３７】
記録部２４は、搬送路２３の途中に配置されており、キャリッジ３８及び記録ヘッド３９とを備えている。記録ヘッド３９は、キャリッジ３８に搭載され、ガイドレール１０５、１０６に沿って主走査方向（図３紙面垂直方向）に往復動するように構成されている。
【００３８】
具体的には、キャリッジ３８は、ＣＲモータ９５（図９参照）を駆動源とし、例えばベルト駆動機構を介してスライドされる。なお、複合機１０の内部には、記録ヘッド３９とは独立してインクカートリッジ（図示せず）が配置されている。このインクカートリッジからインクチューブを通じてインクが記録ヘッド３９に供給される。そして、キャリッジ３８が往復動される間に、記録ヘッド３９からインクが微小なインク滴として吐出され、これにより、プラテン４２上を搬送される記録用紙に画像が記録される。
【００３９】
複合機１０の本体フレーム５３には、キャリッジ３８の位置を検出するリニアエンコーダ８５（図９参照）が設けられている。このリニアエンコーダ８５のエンコーダストリップがガイドレール１０５、１０６に配設されている。エンコーダストリップは、光を透過させる透光部及び光を遮断する遮光部を備えており、その透光部及び遮光部は、エンコーダストリップの長手方向に所定ピッチで交互に配置され所定のパターンを形成している。
【００４０】
また、キャリッジ３８の上面には、透過型センサである光学センサ１０７が設けられている。この光学センサ１０７は、エンコーダストリップに対応する位置に設けられており、キャリッジ３８と共にエンコーダストリップの長手方向に沿って往復動し、その往復動の際にエンコーダストリップのパターンを検出するものである。
【００４１】
さらに、キャリッジ３８には、プラテン４２上の記録用紙の存在の有無を検出するメディアセンサ８６（図９参照）が設けられている。メディアセンサ８６は、光源及び受光素子を備えており、光源から発せられた光は、プラテン４２上に搬送された記録用紙に照射される一方、プラテン４２上まで記録用紙が搬送されていない場合にはプラテン４２に照射される。そして、記録用紙又はプラテン４２に照射された光は反射され、その反射光を受光素子が受光しその受光量に応じた出力を行う。
【００４２】
記録部２４よりも搬送路２３の上流側には、搬送ローラ６０及びピンチローラ３１が設けられている。これらは対をなし、ピンチローラ３１は、搬送ローラ６０の下側に圧接するように配置されている。搬送ローラ６０及びピンチローラ３１は、搬送路２３を搬送される記録用紙を狭持してプラテン４２上へ送るものである。
【００４３】
また、記録部２４よりも搬送路２３の下流側には、排紙ローラ６２及び拍車ローラ６３が設けられている。排紙ローラ６２及び拍車ローラ６３は、記録済みの記録用紙を狭持して搬送路２３からさらに搬送方向下流側へ（排紙トレイ２１側へ）搬送するものである。
【００４４】
搬送ローラ６０及び排紙ローラ６２は、ＬＦモータ７１を駆動源として駆動され、搬送ローラ６０及び排紙ローラ６２の駆動は同期しており、画像記録時に間欠駆動される。これにより、記録用紙は所定の改行幅で送られながら画像記録がなされる。
【００４５】
なお、搬送ローラ６０には、ロータリーエンコーダ８７（図９参照）が設けられている。このロータリーエンコーダ８７は、搬送ローラ６０と共に回転するエンコーダディスク（図示せず）のパターンを光学センサで検出し、この光学センサが検出した信号に基づいて、搬送ローラ６０及び排紙ローラ６２の回転が制御される。また、画像記録の前後においては、搬送ローラ６０及び排紙ローラ６２は連続駆動され、迅速な用紙搬送が実現されている。
【００４６】
拍車ローラ６３は、記録済みの記録用紙を圧接するものであり、記録用紙に記録された画像が劣化しないように、拍車ローラ６３のローラ面には、拍車状に凹凸が形成されている。拍車ローラ６３は、排紙ローラ６２と接離する方向にスライド移動可能に設けられており、排紙ローラ６２に圧接するように付勢されている。なお、拍車ローラ６３を排紙ローラ６２に付勢する手段は、典型的にはコイルバネが採用される。
【００４７】
図３では図示されていないが、本実施形態では、複数の拍車ローラ６３が備えられており、各拍車ローラ６３は、記録用紙の搬送方向と直交する方向、すなわち記録用紙の幅方向に均等に並設されている。拍車ローラ６３の数は特に限定されるものではないが、本実施形態では８個に設定されている。
【００４８】
排紙ローラ６２と拍車ローラ６３との間に記録用紙が進入すると、拍車ローラ６３は、記録用紙の厚み分だけコイルバネの付勢力に抗して退避する。記録用紙は排紙ローラ６２に圧接され、排紙ローラ６２の回転力が確実に記録用紙へ伝達される。また、ピンチローラ３１も搬送ローラ６０に対して同様に弾性付勢されている。したがって、記録用紙は、搬送ローラ６０に圧接され、搬送ローラ６０の回転力が確実に記録用紙へ伝達される。
【００４９】
搬送路２３の搬送ローラ６０よりも上流側には、レジセンサ１０２（図９参照）が設けられている。このレジセンサ１０２は、検出子及び光学センサを備えており、検出子は、搬送路２３を横切るように配置され、搬送路２３に出没可能である。検出子は、常時搬送路２３に突出するように弾性付勢されており、搬送路２３を搬送される記録用紙が検出子に当接することにより、検出子が搬送路２３へ没入する。検出子の出没により、上記光学センサがＯＮ又はＯＦＦされる。したがって、記録用紙が検出子を出没させることによって、搬送路２３における記録用紙の先端又は後端の位置が検出される。
【００５０】
次に、図４及び図５を参照して、経路切換部４１について説明する。図４及び図５は、経路切換部周辺を拡大して示す拡大断面図であり、図５は、図４に示す状態の経路切換部４１が、中心軸５２を回転中心として回動した状態を示している。
【００５１】
経路切換部４１は、記録部２４よりも下流側に配置されている。具体的には、経路切換部４１は、記録部２４よりも搬送路２３の下流側部位３６、すなわち搬送路２３と反転案内部１６との境界部分における搬送方向下流側に配置されている。経路切換部４１には、ローラ対を構成する第１ローラ４５及び第２ローラ４６と、第２ローラ４６に並設された補助ローラ４７とが設けられている。
【００５２】
第１ローラ４５及び第２ローラ４６は、排紙ローラ６２及び拍車ローラ６３から送られた記録用紙１０３を狭持するものである。第１ローラ４５及び第２ローラ４６は、記録用紙１０３を搬送路２３に沿ってさらに搬送方向下流側へ（排紙トレイ２１側へ）搬送可能であると共に、記録用紙を反転案内部１６に搬送可能である。
【００５３】
第２ローラ４６及び補助ローラ４７は、フレーム４８に取り付けられている。このフレーム４８は、複合機１０の左右方向（図３の紙面垂直方向）に延びている（図６参照）。フレーム４８の断面形状は、略Ｌ字状に形成されており、これにより、フレーム４８の所要の曲げ剛性が確保されている。
【００５４】
フレーム４８は、一体化された８つのサブフレーム４９を備えている（図６参照）。各サブフレーム４９は、複合機１０の中心を基準として上記左右方向に対称に配置されている。各サブフレーム４９は、それぞれ一つの第２ローラ４６及び補助ローラ４７を軸支している。従って、フレーム４８は、それぞれ８つの第２ローラ４６及び補助ローラ４７を備えていることになり、各第２ローラ４６及び補助ローラ４７は、記録用紙の搬送方向と直交する方向、すなわち記録用紙１０３の幅方向に均等に並設されている。
【００５５】
第２ローラ４６及び補助ローラ４７は、各サブフレーム４９に設けられた支持軸５０、５１に軸支され、その支持軸５０、５１の回りに回転自在に構成されている。本実施形態では、第２ローラ４６及び補助ローラ４７は、拍車状に形成されている。補助ローラ４７は、第２ローラ４６よりも所定距離だけ搬送方向上流側に配置されている。各第２ローラ４６は、図示しないバネにより下方に付勢されており、常に第１ローラ４５に弾性的に押し付けられている。
【００５６】
第１ローラ４５は、所要の駆動伝達機構を介してＬＦモータ７１と連結されており、そのＬＦモータ７１を駆動源として回転駆動される。また、第１ローラ４５は、中心軸５２を備えており、その中心軸５２は、複合機１０の本体フレーム５３側に支持されている。
【００５７】
第１ローラ４５の上方には、第２ローラ４６が載置されている。第１ローラ４５は、単一の細長円柱状に形成されていてもよく、また、８つのローラがそれぞれ各第２ローラ４６と対向配置されていてもよい。
【００５８】
なお、第１ローラ４５は、ＬＦモータ７１によって正転及び逆転され、記録用紙を排紙トレイ２１側および反転案内部１６側に搬送可能に構成されている。即ち、搬送路２３に沿って搬送された記録用紙１０３は、第１ローラ４５と第２ローラ４６とによって挟持される。そして、第１ローラ４５が正転すると、記録用紙１０３は第１ローラ４５と第２ローラ４６とによって挟持されたまま搬送方向下流側へ搬送され、排紙トレイ２１に排出される。他方、第１ローラ４５が逆転すると、記録用紙は第１ローラ４５と第２ローラ４６とによって挟持されたまま搬送方向上流側へ戻される。
【００５９】
本実施形態では、第１ローラ４５の外径は、排紙ローラ６２の外径よりも若干大きく設定されている。すなわち、両者が同回転速度で駆動された場合は、第１ローラ４５の周速度の方が排紙ローラ６２の周速度よりも大きくなる。そのため、記録用紙１０３が排紙ローラ６２及び第１ローラ４５の双方によって搬送されるときは、記録用紙１０３は常に搬送方向に引っ張られるようになっている。
【００６０】
ここで、図６乃至図８を参照して、上述したように構成された経路切換部４１の駆動機構４４について説明する。図６は、経路切換部４１の斜視図である。図７は、図６に示す矢印ＶＩＩ方向矢視図である。図８は、図６に示す矢印ＶＩＩＩ方向矢視図である。駆動機構４４は、経路切換部４１を図４に示す状態から図５に示す状態に駆動したり、図５に示す状態から図４に示す状態に復帰駆動させるためのものである。
【００６１】
図６に示すように、駆動機構４４には、中心軸５２に設けられた従動ギア５４と、これと噛み合う駆動ギア５５と、駆動ギア５５と連結されたカム５７とが設けられている。
【００６２】
カム５７は、回転駆動軸５８の一端に連結されており、回転駆動軸５８は、ＬＦモータ７１を駆動源として駆動される。図８に示すように、カム５７には案内溝５９が設けられている。この案内溝５９は、回転駆動軸５８の回りに環状に形成されている。具体的には、案内溝５９には、回転駆動軸５８を中心とする小円弧部６９及び大円弧部７０と、小円弧部６９の一端及び大円弧部７０の一端を連結する連結溝７２と、小円弧部６９の他端及び大円弧部７０の他端を連結する連結溝７３とが設けられている。
【００６３】
図６及び図７に示すように、従動ギア５４は、歯部６４とフランジ部６５とから構成されている。歯部６４は、中心軸５２を中心とするインボリュート歯車として構成されている。歯部６４は、中心軸５２に嵌め込まれ、中心軸５２の回りに回転することができるようになっている。また、フランジ部６５は、歯部６４と一体的に形成されており、フレーム４８と連結されている。したがって、歯部６４が回転すると、中心軸５２を回転中心としてフレーム４８、サブフレーム４９、第２ローラ４６及び補助ローラ４７が一体的に回転するようになっている。
【００６４】
駆動ギア５５は、支持軸６６に回動自在に支持されている。この支持軸６６は、本体フレーム５３に設けられている。駆動ギア５５は、歯部６７とアーム６８とによって構成されている。歯部６７は、上記支持軸６６を中心とするインボリュート歯車として構成されており、上記歯部６４と噛み合っている。アーム６８には、図８に示すピン５６が突設されており、ピン５６は、案内溝５９に嵌合しており、案内溝５９に沿ってスライド自在となっている。そして、歯部６７が回転することにより歯部６４が回転し、その結果、中心軸５２を回転中心としてフレーム４８、サブフレーム４９、第２ローラ４６及び補助ローラ４７が一体的に回転する。
【００６５】
図８が示すように、カム５７が回転すると、ピン５６は案内溝５９に沿って相対的に移動し、特に、連結溝７２、７３に沿ってスライドするときは、ピン５６は、カム５７の径方向に移動することになる。このため、図８においてカム５７が時計回り（矢印８２の方向）に回転されたときは、ピン５６が大円弧部７０、連結溝７２及び小円弧部６９に順に移動する。
【００６６】
従って、駆動ギア５５は、図７において時計回りに回転する。その結果、従動ギア５４は、図７において中心軸５２を中心として反時計回りに回転する。前述のように、従動ギア５４はフレーム４８と連結されているから、従動ギア５４が回転することにより、中心軸５２を回転中心としてフレーム４８、サブフレーム４９、第１ローラ４６及び補助ローラ４７が一体的に回転する。尚、この状態から上述したのとはカム５７が逆回転すれば、当然に、中心軸５２を回転中心としてフレーム４８、サブフレーム４９、第１ローラ４６及び補助ローラ４７が一体的に回転して、元の状態に復帰する。
【００６７】
本実施形態において、図４が示すような経路切換部４１の姿勢を「被記録媒体排出姿勢」、図５が示すような経路切換部４１の姿勢を「被記録媒体反転姿勢」とすれば、記録用紙の表面にのみ画像が記録される場合（片面記録）には、経路切換部４１が常時被記録媒体排出姿勢となり、搬送路２３に沿って搬送される記録用紙は、そのまま排紙トレイ２１側へ送られる（図４参照）。
【００６８】
一方、経路切換部４１が被記録媒体反転姿勢に変化したときは、図５に示すように、記録用紙１０３を反転案内部１６へ案内されるようになっている。具体的には、記録用紙の表裏両面に画像が記録される場合、まず、経路切換部４１が被記録媒体排出姿勢を維持し（図４参照）、表面に画像記録された記録用紙が搬送方向下流側へ送られる。その後、経路切換部４１が被記録媒体排出姿勢（図４参照）から被記録媒体反転姿勢（図５参照）に変化し、補助ローラ４７が記録用紙１０３を押さえつけて反転案内部１６側へ案内する。
【００６９】
再び、図４に戻り、説明を続ける。上述したように構成された経路切換部４１の下流側には、ガイド部７６が配置されている。ガイド部７６は、第１ローラ４５及び第２ローラ４６よりも搬送方向下流側に設けられている。本体フレーム５３に支持板７５が取り付けられており、この支持板７５にガイド部７６が設けられている。
【００７０】
このガイド部７６には、支持板７５の下面に固定された基部７７と、基部７７に支持されたガイドローラ７８とが設けられている。基部７７は支軸７９を備えており、ガイドローラ７８は、この支軸７９に回転自在に軸支されている。なお、本実施形態では、このガイドローラ７８は拍車状に形成されている。
【００７１】
このガイド部７６は、上記第１ローラ４５及び第２ローラ４６が逆転して記録用紙１０３が反転案内部１６へ送られているときに記録用紙１０３の記録面に接触する。また、ガイド部７６は、第１ローラ４５及び第２ローラ４６が正転して記録用紙１０３が反転案内部１６へ送られているときは、記録用紙１０３に接触しない。具体的には、ガイド部７６は、第１ローラ４５及び第２ローラ４６の接点と、排紙ローラ６２及び拍車ローラ６３の接点とを結ぶ仮想線と接触しない位置に設けられている。
【００７２】
記録用紙１０３が搬送方向の向きを変えて反転案内部１６に送られる場合には、記録用紙１０３のうち第１ローラ４５及び第２ローラ４６よりも下流側の部分は、記録用紙１０３の剛性によって反転案内部１６と平行な方向に向きが変えるよう作用する。しかし、ガイドローラ７８が記録用紙１０３の記録面に当接し、この記録用紙１０３を撓ませる。これにより、記録用紙１０３は、第１ローラ４５及び第２ローラ４６に巻き付けられるため、安定した搬送力を得ることができ、記録用紙１０３は、確実に反転案内部１６に送られる。
【００７３】
再び、図３に戻って説明を続ける。反転案内部１６は、搬送路２３に接続されており、記録部２４よりも搬送路２３の下流側部位３６に連続している。反転案内部１６は、表面に画像が記録された記録用紙を再び給紙トレイ２０上に導く反転経路を構成している。この反転経路は、第１ガイド面３２と第２ガイド面３３とによって区画形成されている。
【００７４】
本実施形態では、第１ガイド面３２及び第２ガイド面３３は、それぞれ、複合機１０の本体フレーム５３の内部に配置されたガイド部材３４及びガイド部材３５の表面により形成されている。各ガイド部材３４、３５は、所定間隔をあけて対向配置されており、第１ガイド面３２及び第２ガイド面３３は、搬送路２３の下流側部位３６から給紙ローラ２５の方へ斜め下方に延びている。
【００７５】
なお、本実施形態では、反転案内部１６は、記録用紙を給紙トレイ２０上に戻すように構成されているが、これに限定されるものではない。反転案内部１６は、要するに搬送路２３の下流側部位３６と上流側部位３７とを接続することができれば十分であり、したがって、記録用紙は、上流側部位３７よりも給紙トレイ２０側に戻されればよい。
【００７６】
次に、図９を参照して、複合機１０の制御部８４の構成について説明する。図９は、複合機１０の制御部８４の構成を示すブロック図である。制御部８４は、プリンタ部１１のみでなくスキャナ部１２も含む複合機１０の全体動作を制御するものであるが、スキャナ部１２についての詳細な説明は省略する。
【００７７】
制御部８４は、図に示すように、ＣＰＵ（Ｃｅｎｔｒａｌ  Ｐｒｏｃｅｓｓｉｎｇ  Ｕｎｉｔ）８８、ＲＯＭ（Ｒｅａｄ  Ｏｎｌｙ  Ｍｅｍｏｒｙ）８９、ＲＡＭ（Ｒａｎｄｏｍ  Ａｃｃｅｓｓ  Ｍｅｍｏｒｙ）９０、電源オフ後も保持すべき設定やフラグ等が格納されるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）９１を主とするマイクロコンピュータとして構成されており、バス９２を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）９３に接続されている。
【００７８】
ＲＯＭ８９には、複合機１０の各種動作を制御するためのプログラム等が格納されている。例えば、図１１に示す両面印刷処理を実行させる印刷処理プログラム８９ａが格納されている。ＲＡＭ９０は、ＣＰＵ８８が上記プログラムを実行する際に用いる各種データを一時的に記録する記憶領域又は作業領域として使用される。また、ＲＡＭ９０には、インク量メモリ９０ａが割り当てられている。
【００７９】
インク量メモリ９０ａは、記録用紙１０３の裏面を印刷する場合に、給紙ローラ２５と当接することになる記録用紙１０３の当接領域Ｒを、記録用紙１０３の搬送方向に沿って所定ピッチで区画した各領域毎に記録ヘッド３９から吐出されたインク量を記録するものである。
【００８０】
ここで、図１０を参照して、記録用紙１０３の当接領域Ｒについて説明する。図１０は、表面を向いた記録用紙１０３の平面図である。尚、図１０では、記録ヘッド３９とプラテン４２との間を記録用紙１０３が搬送される方向を副走査方向として図示し、図中下方の記録用紙１０３の端部を表面先端（裏面後端）、図中上方の記録用紙１０３の端部を表面後端（裏面先端）として図示している。
【００８１】
記録用紙１０３の当接領域Ｒは、記録用紙１０３の裏面を印刷する場合に、給紙ローラ２５と当接することになる領域であり、図１０に示すように、給紙ローラ２５と一致する幅で、副走査方向に沿って帯状に形成される領域である。また、当接領域Ｒは、副走査方向に沿って所定ピッチで複数の領域ｒ１、ｒ２、・・・、ｒｎ−１、ｒｎに区画されており、この各領域毎に記録ヘッド３９から吐出されたインク量が検出され、各領域毎に吐出されたインク量がインク量メモリ９０ａに記憶される。
【００８２】
尚、本実施形態では、当接領域Ｒの各領域に吐出したインク量は、各領域に吐出したインクの吐出回数をカウントして算出する。但し、インクの吐出量の検出方法としては、これに限定されるものではなく、例えば、インク消費量、データ量からインク吐出量を検出するように構成しても良い。
【００８３】
また、当接領域Ｒを区画する所定ピッチは、第１ローラ４５及び第２ローラ４６によって記録用紙１０３を搬送できる最小の送りピッチと同じピッチに設定されているので、記録用紙１０３を停止させる位置を細かく制御することができ、適正な位置で記録用紙１０３を停止させることができる。
【００８４】
ＡＳＩＣ９３は、ＣＰＵ８８からの指令に従い、ＬＦモータ７１に通電する相励磁信号等を生成して、該信号をＬＦモータ７１の駆動回路９４に付与し、該駆動回路９４を介して駆動信号をＬＦモータ７１に通電することにより、ＬＦモータ７１の回転制御を行っている。
【００８５】
駆動回路９４は、給紙ローラ２５、搬送ローラ６０、排紙ローラ６２、第１ローラ４５などに接続されたＬＦモータ７１を駆動させるものであり、ＡＳＩＣ９３からの出力信号を受けて、ＬＦモータ７１を回転するための電気信号を生成する。該電気信号を受けてＬＦモータ７１が回転し、該ＬＦモータ７１の回転力がギアや駆動軸等からなる周知の駆動機構を介して、給紙ローラ２５、搬送ローラ６０、排紙ローラ６２、第１ローラ４５へ伝達される。
【００８６】
この複合機１０では、ＬＦモータ７１は、給紙トレイ２０からの記録用紙の給紙のための駆動源となっており、また、プラテン４２上に位置する記録用紙の搬送や記録済みの記録用紙を排紙トレイ２１へ排出するための駆動源となっており、更には、所定の動力伝達機構を介して排紙ローラ６２を駆動する駆動源にもなっている。
【００８７】
即ち、ＬＦモータ７１は、搬送ローラ６０と、駆動伝達機構２７を介して給紙ローラ２５と、所定の動力伝達機構を介して排紙ローラ６２とを駆動する。なお、所定の動力伝達機構は、例えば歯車列により構成してもよいし、組付スペースの関係上、タイミングベルト等を使用してもよい。
【００８８】
また、ＡＳＩＣ９３は、ＣＰＵ８８からの指令に従い、ＣＲ（キャリッジ）モータ９５に通電する相励磁信号等を生成して、該信号をＣＲモータ９５の駆動回路９６に付与し、該駆動回路９６を介して駆動信号をＣＲモータ９５に通電することにより、ＣＲモータ９５の回転制御を行っている。
【００８９】
駆動回路９６は、上記キャリッジ３８に接続されたＣＲモータ９５を駆動させるものであり、ＡＳＩＣ９３からの出力信号を受けて、ＣＲモータ９５を回転するための電気信号を生成する。該電気信号を受けてＣＲモータ９５が回転し、該ＣＲモータ９５の回転力がキャリッジ３８へ伝達されことによりキャリッジ３８が往復動される。
【００９０】
駆動回路９７は、記録ヘッド３９から所定のタイミングでインクを記録用紙１０３に対して選択的に吐出させるものであり、ＣＰＵ８８から出力される駆動制御手順に基づいてＡＳＩＣ９３において生成された出力信号を受け、記録ヘッド３９を駆動制御する。
【００９１】
ＡＳＩＣ９３には、スキャナ部１２や、複合機１０の操作指示を行うための操作パネル４０、各種小型メモリカードが挿入されるスロット部４３、パソコン等の外部機器とパラレルケーブルやＵＳＢケーブルを介してデータの送受信を行うためのパラレルインタフェース（Ｉ／Ｆ）９８及びＵＳＢインタフェース（Ｉ／Ｆ）９９、ファクシミリ機能を実現するためのＮＣＵ（Network  Control  Unit）１００やモデム（MODEM）１０１が接続されている。
【００９２】
その他、ＡＳＩＣ９３には、給紙ローラ２５から搬送ローラ６０近傍に記録用紙１０３が搬送されたことを検出するレジセンサ１０２、ＬＦモータ７１により駆動された各ローラの回転量を検出するロータリエンコーダ８７、キャリッジ３８の移動量を検出するためのリニアエンコーダ８５、プラテン４２上の記録用紙１０３の存在の有無を検出するメディアセンサ８６が接続されている。
【００９３】
ここで、複合機１０の制御部８４で行われる処理を簡単に説明する。複合機１０の電源がオンされると、キャリッジ３８は、一旦そのスライド端まで移動され、リニアエンコーダ８５による検出位置が初期化される。キャリッジ３８が初期位置からスライド移動すると、キャリッジ３８に設けられた光学センサ１０７がエンコーダストリップのパターンを検出する。
【００９４】
制御部８４は、光学センサ１０７の検出に基づくパルス信号数によって、キャリッジ３８の移動量を把握し、この移動量に基づいてキャリッジ３８の往復動を制御すべく、ＣＲモータ９５の回転を制御する。また、制御部８４は、レジセンサ１０２の出力信号及びロータリーエンコーダ８７が検出するエンコーダ量に基づいて記録用紙１０３の先端又は後端の位置並びに記録用紙１０３の搬送量を把握する。
【００９５】
制御部８４は、記録用紙１０３の先端がプラテン４２の所定の位置に到達すると、記録用紙１０３を所定の改行幅ごとに間欠搬送すべくＬＦモータ７１の回転を制御する。この改行幅は、画像記録の条件として入力された解像度等に基づいて設定される。特に高解像度記録、具体的には、縁無し写真記録が行われる場合においては、メディアセンサ８６による記録用紙１０３の存在の検出と、ロータリーエンコーダ８７が検出するエンコーダ量とに基づいて、制御部８４が記録用紙１０３の先端、後端を正確に検知する。
【００９６】
さらに、メディアセンサ８６による記録用紙１０３の存在の検出と、リニアエンコーダ８５が検出するエンコーダ量とに基づいて、制御部８４が記録用紙１０３の両端の位置を正確に検知する。そして、このようにして検知された記録用紙１０３の先端、後端及び両端の位置に基づいて、制御部８４は、インクジェット記録ヘッド３９によるインク滴の吐出を制御する。
【００９７】
次に、図１１を参照して、複合機１０のＣＰＵ８８で実行される両面印刷処理について説明する。図１１は、複合機１０のＣＰＵ８８で実行される両面印刷処理を示したフローチャートである。尚、図１１の両面印刷処理では、両面印刷が指示された場合として説明する。図１２乃至図１５は、両面印刷時における記録用紙１０３の状態を時系列順に示す断面図である。
【００９８】
この両面印刷処理は、印刷実行の指示が入力されると、給紙ローラ２５を駆動して、給紙トレイ２０から記録用紙１０３を矢印１４の方向に沿って搬送路２３内に搬送する。搬送路２３内において、記録用紙１０３は、給紙ローラ２５が当接した面とは反対の面（表面）が記録ヘッド３９のノズル形成と対向するように反転される。
【００９９】
そして、記録用紙１０３が搬送ローラ６０及びピンチローラ３１に到達すると、搬送ローラ６０及びピンチローラ３１で記録用紙１０３を挟持して、搬送ローラ６０及びピンチローラ３１によって記録用紙１０３を記録ヘッド３９とプラテン４２との間に搬送し、記録ヘッド３９と対向する表面への画像記録を開始する。また、表面への画像記録を開始した場合には、表面に吐出したインク吐出量の検出を開始する（Ｓ１）。尚、検出したインク量は図１０に示す当接領域Ｒの各領域毎にインク量メモリ９０ａに記憶される。
【０１００】
再び、図１１に戻り、説明を続ける。表面への画像記録、インク量の検出を開始した場合、搬送ローラ６０及びピンチローラ３１によって記録用紙１０３を間欠的に搬送し、記録用紙１０３が停止している状態でキャリッジ３８をスライドさせて記録ヘッド３９によって記録用紙１０３の表面に画像を記録する。
【０１０１】
また、記録用紙１０３が排紙ローラ６２及び拍車ローラ６３に到達すると、排紙ローラ６２及び拍車ローラ６３を駆動し、排紙ローラ６２及び拍車ローラ６３によって記録用紙１０３を更に下流側に搬送する。更に、記録用紙１０３が第１ローラ４５及び第２ローラ４６に到達すると、第１ローラ４５及び第２ローラ４６を駆動し、第１ローラ４５及び第２ローラ４６によって記録用紙１０３を更に下流側に搬送する。この間に、記録用紙１０３の表面への画像記録と、インク吐出量の検出とを終了する（Ｓ２）。
【０１０２】
そして、図１２（ａ）に示すように、記録用紙１０３が、第１ローラ４５及び第２ローラ４６に挟持され、且つ、上流側の端部が排紙ローラ６２の下流側に延びる第１ガイド面３２に支持されている状態となる第１停止位置まで第１ローラ４５及び第２ローラ４６によって記録用紙１０３を搬送し、第１停止位置で第１ローラ４５及び第２ローラ４６の駆動を一端停止する（Ｓ３）。
【０１０３】
その後、図１２（ａ）に示すように、被記録媒体排出姿勢にある経路切換部４１を、図１２（ｂ）に示すように、被記録媒体保持姿勢へ変化させるように、経路切換部４１を駆動する（Ｓ４）。尚、本実施形態において、被記録媒体保持姿勢とは、図１２（ｂ）に示すように、経路切換部４１を、被記録媒体排出姿勢（図４，図１２（ａ）参照）と、被記録媒体反転姿勢（図５，図１３（ｃ）参照）との中間位置に回動させた姿勢である。
【０１０４】
経路切換部４１を図１２（ａ）に示す被記録媒体排出姿勢から、図１２（ｂ）に示す記録用紙保持姿勢へ変化させる場合には、第１ローラ４５の支持軸５２を中心として経路切換部４１を回動する。すなわち、第２ローラ４６は、記録用紙１０３を挟持したままで第１ローラ４５の周面上を転動し、補助ローラ４７が記録用紙１０３を記録用紙１０３の表面側から反転案内部１６に向けて押圧する。
【０１０５】
そして、経路切換部４１を図１２（ｂ）に示す被記録媒体保持姿勢へ変化させた後、その状態のままで第１停止時間Ｔ１停止させる（Ｓ５）。これにより、記録用紙１０３は、図１２（ｂ）に示すように、経路切換部４１の補助ローラ４７によって記録用紙１０３の表面側から反転案内部１６に向けてくの字状に屈曲した状態となり、この状態で第１停止時間Ｔ１停止されるので、記録用紙１０３にカール癖を付けることができる。よって、記録用紙１０３が浮き上がるのが抑制され、表面の後端（裏面の先端）が給紙ローラ２５に誘導されやすくなり、表面に画像が記録された記録用紙１０３の先端が、給紙ローラ２５に衝突してジャムが発生するのを抑制することができる。
【０１０６】
その後、第１停止時間Ｔ１が経過するまで待機し（Ｓ６：Ｎｏ）、第１停止時間Ｔ１が経過した場合には（Ｓ６：Ｙｅｓ）、第２停止位置を決定する（Ｓ７）。第２停止位置は、図１０に示す当接領域Ｒのうちのいずれかの領域と、給紙ローラ２５とが当接している位置であり、本実施形態では、インク量メモリ９０ａに記憶されているインク量が最も少ない領域と、給紙ローラ２５とが当接する位置を第２停止位置として決定する（Ｓ７）。
【０１０７】
そして、第２停止位置を決定すると、図１２（ｂ）に示すように、被記録媒体保持姿勢にある経路切換部４１を、図１３（ｃ）に示すように、被記録媒体反転姿勢へ変化させるように、経路切換部４１の駆動を再開する（Ｓ８）。
【０１０８】
経路切換部４１を被記録媒体反転姿勢へ変化させるときは、上述したのと同様に、第１ローラ４５の中心軸５２を中心として経路切換部４１を回動し、更に、補助ローラ４７によって記録用紙１０３を押圧する。これにより、記録用紙１０３が補助ローラ４７によって表面側から反転案内部１６に向けて押圧され、記録用紙１０３は、図１３（ｃ）に示すように、記録用紙１０３の上流側に位置する先端部（表面の後端、裏面の先端）が反転案内部１６側に進入する。
【０１０９】
そして、第１ローラ４５及び第２ローラ４６を逆転駆動し、記録用紙１０３を反転案内部１６内において給紙ローラ２５に向けて搬送する（Ｓ９）。その後、図１３（ｄ）に示すように、記録用紙１０３の先端部（表面の後端、裏面の先端）が、給紙ローラ２５に到達すると、給紙ローラ２５を駆動する（Ｓ１０）。
【０１１０】
但し、給紙ローラ２５は、記録用紙１０３が給紙ローラ２５に到達してから所定時間経過後に駆動し、この間は、第１ローラ４５及び第２ローラ４６を逆転させ続ける。これにより、記録用紙１０３の斜行が整えられ、給紙ローラ２５による再給紙性を向上させることができる。
【０１１１】
こうして、給紙ローラ２５を駆動して、給紙ローラ２５と、第１ローラ４５及び第２ローラ４６とによって、例えば、図１４（ｅ）に示すように、記録用紙１０３を第２停止位置まで搬送し（Ｓ１１）、第２停止位置で給紙ローラ２５と、第１ローラ４５及び第２ローラ４６との駆動を第２停止時間Ｔ２停止する（Ｓ１２）。
【０１１２】
この第２停止時間Ｔ２は、記録用紙１０３にカール癖を付けるのに必要な時間であり、記録用紙１０３を搬送路２３においてＵ字状に変形させた状態で第２停止時間Ｔ２停止させると、記録用紙１０３に所望のカール癖を付けることができる。
【０１１３】
これにより、ジャムを発生させることなく記録用紙１０３を搬送ローラ６０及びピンチローラ３１に導入でき、また、記録ヘッド３９とプラテン４２との間に記録用紙１０３を円滑に搬送できる。更に、このカール癖付けは、搬送路２３内において、記録用紙２３をＵ字状に変形させた状態で第２停止時間Ｔ２停止させることで行われるので、カール癖付けのために、新たな物理的な構成を搭載する必要がなく、装置を大型化させることなく、且つ、簡単な構成で記録用紙１０３にカール癖を付けることができる。また、記録用紙１０３を第２停止時間Ｔ２停止させている間に、給紙ローラ２５を通過していない記録用紙１０３を乾燥させることができる。
【０１１４】
更に、第２停止位置では、Ｓ７で決定したように、当接領域Ｒのうちインク量が最も少ない当接領域と、給紙ローラ２５とが当接している状態となる。よって、カール癖を付けるために、インク量とは無関係に予め決まった固定位置で記録用紙１０３を停止させるよりも、画像が印刷されている記録用紙１０３の表面と給紙ローラ２５とが当接することで記録用紙１０３の表面に印刷された画像が乱されたり、表面に吐出されたインクが給紙ローラ２５に付着して給紙ローラ２５が汚れるのを抑制することができる。
【０１１５】
こうして、第２停止位置で記録用紙１０３を第２停止時間Ｔ２停止させると（Ｓ１３：Ｙｅｓ）、その後は、図１４（ｆ）に示すように、搬送路２３において、記録用紙１０３は給紙ローラ２５が当接した面（表面）とは反対の面（裏面）が記録ヘッド３９のノズル形成と対向するように反転され、裏面に対して記録ヘッド３９によって画像記録を開始する（Ｓ１４）。
【０１１６】
そして、図１５（ｇ）に示すように、記憶用紙１０３の先端部（裏面の先端）が経路切換部４１に進入する前に、経路切換部４１を被記録媒体反転姿勢から、再び被記録媒体排出姿勢に変化するように経路切換部４１を駆動する（Ｓ１５）。その後、記録用紙１０３の裏面への画像記録が終了し（Ｓ１６）、両面に画像が記録された記録用紙１０３を第１ローラ４５及び第２ローラ４６によって搬送方向下流側へ搬送する。このとき、第１ローラ４５及び第２ローラ４６は正転し、記録用紙１０３は排紙トレイ２１へ排紙される（Ｓ１７）。
【０１１７】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１１８】
上述した実施形態では、給紙ローラ２５が記録用紙１０３の中央部分と当接する場合について説明したが、例えば、給紙ローラ２５または給紙ローラ２５とは異なる別のローラが表面に画像が印刷された記録用紙１０３の両縁部に沿って記録用紙１０３と当接するように並列に２つ設置されている場合には、図１０に対応する図１６に示すように、記録用紙１０３の両縁部に沿った領域を当接領域Ｒ１，当接領域Ｒ２とし、その当接領域Ｒ１，Ｒ２を記録用紙１０３の搬送方向に沿って所定ピッチで複数の領域に区画し、各領域のうちで最も吐出されたインク量が少ない領域と給紙ローラ２５または給紙ローラ２５とは異なる別のローラとが当接する位置で記録用紙１０３を停止させるように構成しても良い。かかる場合であっても上述したのと同様な効果を奏することができる。
【０１１９】
また、本実施形態では、記録用紙を第１停止位置で第１停止時間Ｔ１、第２停止位置で第２停止時間Ｔ２停止させる場合について説明したが、第１停止位置、第２停止位置での停止時間を記録用紙１０３の種類、温度、湿度等の環境条件で変更するように構成しても良い。例えば、葉書等のように普通紙に比べて剛性の高い記録用紙１０３の場合には、カール癖を付けるのに普通紙よりも短時間で済むので、第１停止位置、第２停止位置での停止時間を普通紙よりも短くし、逆に、薄紙のように普通紙よりも剛性の低い記録用紙１０３の場合には、カール癖を付けるのには普通紙よりも長時間要するので、第１停止位置、第２停止位置での停止時間を普通紙よりも長くするように構成しても良い。
【０１２０】
また、例えば、湿度が高い程、インクが乾燥し難いので、第１停止位置、第２停止位置での停止時間を長くし、逆に、湿度が低い程、インクが乾燥し易いので、第１停止位置、第２停止位置での停止時間を短くするように構成しても良い。このように構成することで、より確実に、カール癖を付けることができると共に、給紙ローラ２５に画像が転写されるのを抑制することができる。
【図面の簡単な説明】
【０１２１】
【図１】本発明の一実施形態の複合機の外観斜視図である。
【図２】複合機のプリンタ部の構造を示す縦断面図である。
【図３】プリンタ部の部分拡大断面図である。
【図４】経路切換部周辺を拡大して示す拡大断面図である。
【図５】経路切換部周辺を拡大して示す拡大断面図である。
【図６】経路切換部の斜視図である。
【図７】図６に示す矢印ＶＩＩ方向矢視図である。
【図８】図６に示す矢印ＶＩＩＩ方向矢視図である。
【図９】複合機の制御部の構成を示すブロック図である。
【図１０】表面を向いた記録用紙の平面図である。
【図１１】両面印刷処理を示すフローチャートである。
【図１２】両面印刷時における記録用紙の状態を時系列順に示す断面図である。
【図１３】両面印刷時における記録用紙の状態を時系列順に示す断面図である。
【図１４】両面印刷時における記録用紙の状態を時系列順に示す断面図である。
【図１５】両面印刷時における記録用紙の状態を時系列順に示す断面図である。
【図１６】表面を向いた記録用紙の平面図である。
【符号の説明】
【０１２２】
１０          複合機（画像記録装置）
１６          反転案内部（裏面用経路）
２０          給紙トレイ（トレイ）
２３          搬送路（給紙経路）
２５          給紙ローラ
２６          給紙アーム
３９          記録ヘッド
４５          第１ローラ（一対の送りローラ、他方のローラ）
４６          第２ローラ（一対の送りローラ、従動ローラ）
４９          サブフレーム（経路切換アーム）
１０３        記録用紙（記録媒体）
Ｓ１          検出手段
Ｓ７          設定手段、特定手段
Ｓ１２        停止手段
Ｒ            当接領域
【図１】
0004492673.tif 000002
【図２】
0004492673.tif 000003
【図３】
0004492673.tif 000004
【図４】
0004492673.tif 000005
【図５】
0004492673.tif 000006
【図６】
0004492673.tif 000007
【図７】
0004492673.tif 000008
【図８】
0004492673.tif 000009
【図９】
0004492673.tif 000010
【図１０】
0004492673.tif 000011
【図１１】
0004492673.tif 000012
【図１２】
0004492673.tif 000013
【図１３】
0004492673.tif 000014
【図１４】
0004492673.tif 000015
【図１５】
0004492673.tif 000016
【図１６】
0004492673.tif 000017